(57)【要約】【課題】  ニュース速報の文字がない映像を録画することが可能な予約録画装置を提供する。【解決手段】  この予約録画装置１では、録画した放送番組の映像中にニュース速報の映像があるか否かを判別し（Ｓ１〜Ｓ３）、ニュース速報の映像がある場合は、その放送番組の再放送があるか否かを検索し（Ｓ５）、再放送がある場合は再放送番組を録画する（Ｓ６）。したがって、ニュース速報の文字がない映像を録画することができる。【選択図】        図３
2007043294.tif 000002
【特許請求の範囲】
【請求項１】
予約された放送番組を受信して録画する予約録画装置において、
予約された放送番組を示す予約番組情報を記憶する予約メモリと、
前記予約メモリに記憶された予約番組情報に基づいて、予約された放送番組を受信する受信部と、
前記受信部によって受信された放送番組の映像を記録する記録部と、
前記記録部に記録された放送番組の映像中にニュース速報の映像があるか否かを判別する分析部と、
前記分析部によって前記ニュース速報の映像があると判別された場合は、その放送番組の再放送があるか否かを検索し、再放送がある場合は再放送番組を示す情報を前記予約番組情報として前記予約メモリに書込む予約部とを備えたことを特徴とする、予約録画装置。
【請求項２】
予約された放送番組を受信して録画する予約録画装置において、
録画した放送番組の映像中にニュース速報の映像があるか否かを判別し、前記ニュース速報の映像がある場合は、その放送番組の再放送があるか否かを検索し、再放送がある場合は再放送番組を録画することを特徴とする、予約録画装置。  
【請求項３】
前記放送番組の再放送があるか否かは、受信した電子番組ガイドに基づいて検索されることを特徴とする、請求項２に記載の予約録画装置。
【請求項４】
予約された放送番組を示す予約番組情報を記憶する予約メモリを備え、
前記放送番組の再放送があるか否かは、前記予約メモリに記憶された予約番組情報に基づいて検索されることを特徴とする、請求項２に記載の予約録画装置。  
【発明の詳細な説明】
【技術分野】
【０００１】
この発明は予約録画装置に関し、特に、予約された放送番組を受信して録画する予約録画装置に関する。
【背景技術】
【０００２】
近年のテレビ放送では、サービスの高度化を図るため、放送番組に加え、番組の放送予定を示す電子番組ガイド（ＥＰＧ：Electric Program Guide）も送信されている。
【０００３】
また、予約された放送番組の録画が悪天候、停電などの原因で失敗に終わった場合、その番組の再放送を電子番組ガイドに基づいて検出し、検出した再放送番組を録画する予約録画装置がある（たとえば特許文献１参照）。
【特許文献１】特開２０００−３１２３２３号公報
【発明の開示】
【発明が解決しようとする課題】
【０００４】
しかし、予約した放送番組が録画された場合でも、その番組の放送中にニュース速報が送信され、ニュース速報の文字が入った映像が録画される場合がある。ニュース速報は、送信されたときには有益な情報であるが、録画した番組を再生して鑑賞するときには過去の情報であり、無益である。また、ドラマのような番組にニュース速報が入ると、視聴者の興をそぐことになる。
【０００５】
それゆえに、この発明の主たる目的は、ニュース速報の文字がない映像を録画することが可能な予約録画装置を提供することである。
【課題を解決するための手段】
【０００６】
この発明に係る予約録画装置は、予約された放送番組を受信して録画する予約録画装置において、予約された放送番組を示す予約番組情報を記憶する予約メモリと、予約メモリに記憶された予約番組情報に基づいて、予約された放送番組を受信する受信部と、受信部によって受信された放送番組の映像を記録する記録部と、記録部に記録された放送番組の映像中にニュース速報の映像があるか否かを判別する分析部と、分析部によってニュース速報の映像があると判別された場合は、その放送番組の再放送があるか否かを検索し、再放送がある場合は再放送番組を示す情報を予約番組情報として予約メモリに書込む予約部とを備えたことを特徴とする。
【０００７】
また、この発明に係る他の予約録画装置は、放送番組を受信して録画する予約録画装置において、録画した放送番組の映像中にニュース速報の映像があるか否かを判別し、ニュース速報の映像がある場合は、その放送番組の再放送があるか否かを検索し、再放送がある場合は再放送番組を録画することを特徴とする。
【０００８】
好ましくは、放送番組の再放送があるか否かは、受信した電子番組ガイドに基づいて検索される。
【０００９】
また好ましくは、予約された放送番組を示す予約番組情報を記憶する予約メモリが設けられ、放送番組の再放送があるか否かは、予約メモリに記憶された予約番組情報に基づいて検索される。
【発明の効果】
【００１０】
この発明に係る予約録画装置では、録画した放送番組の映像中にニュース速報の映像があるか否かを判別し、ニュース速報の映像がある場合は、その放送番組の再放送があるか否かを検索し、再放送がある場合は再放送番組を録画する。したがって、ニュース速報の文字がない映像を録画することができる。
【発明を実施するための最良の形態】
【００１１】
図１は、この発明の一実施の形態による予約録画装置１の構成を示すブロック図である。図１において、この予約録画装置１は、チューナ部２、予約管理部３、録画再生制御部４、データ分析部５、およびデータ記録部６を備える。
【００１２】
チューナ部２は、録画再生制御部４によって制御され、アンテナ(図示せず)を介して放送信号を受信し、受信した放送信号から選択された番組の映像信号を抽出し、抽出した映像信号を録画再生制御部４に与える。
【００１３】
予約管理部３は、図２に示すように、ＥＰＧ格納部７、予約部８、および予約メモリ９を含む。ＥＰＧ格納部７には、チューナ部２によって受信された電子番組ガイドが録画再生制御部４を介して格納される。予約部８は、ユーザのリモコン操作などによって番組の録画予約が行なわれると、ＥＰＧ格納部７に格納された電子番組ガイドを参照して、その番組の名称、チャンネル番号、開始時刻、終了時刻、出演者、番組ジャンルなどの属性情報を含む予約番組情報を予約メモリ９に記憶させる。
【００１４】
また、予約部８は、データ分析部５から録画中の番組の映像にニュース速報の文字などの映像が入ったことを示す信号が与えられると、ＥＰＧ格納部７に格納された電子番組ガイドに基づいて、その番組の再放送があるか否かを検索し、再放送番組があった場合は、その再放送番組の名称、チャンネル番号、開始時刻、終了時刻、出演者、番組ジャンルなどの属性情報を含む予約番組情報を予約メモリ９に記憶させる。
【００１５】
録画再生制御部４は、ユーザのリモコン操作などによって録画、再生などが指示されると、予約録画装置１全体を制御して録画、再生などを行なう。録画再生部４は、予約メモリ９に記憶された予約番組情報に基づいて、予約された番組の映像信号をチューナ部２を制御して受信し、その映像信号をデータ分析部５を介してデータ記録部６に記録させる。また録画再生制御部４は、ユーザのリモコン操作によって再生が指示されると、選択された番組の映像信号をデータ記録部６から取り出してＴＶのような画像表示装置(図示せず)に出力する。
【００１６】
データ分析部５は、予約録画時に録画再生制御部４からデータ記録部６に与えられる映像信号を分析し、録画した番組の映像中にニュース速報の文字などの映像が入った場合は、その旨を示す信号を予約管理部３の予約部８に与える。データ分析部５は、たとえば、ニュース速報が入ったことを知らせる報知音（たとえば「ピー」という音）を検出したり、ＴＶ画面の上部の所定位置に文字が表示されたことを検出することにより、ニュース速報が入ったことを検出する。
【００１７】
データ記録部６は、録画時はチューナ部２から録画再生制御部４およびデータ分析部５を介して与えられる番組の映像信号を記録し、再生時は選択された番組の映像信号を録画再生制御部４に与える。
【００１８】
図３は、この予約録画装置１の予約録画動作を示すフローチャートである。図３を参照して、ステップＳ１においてユーザのリモコン操作などによって番組の録画予約が行なわれると、予約部８は、ＥＰＧ格納部７に格納された電子番組ガイドを参照して、その番組の名称、チャンネル番号、開始時刻、終了時刻、出演者、番組ジャンルなどの属性情報を含む予約番組情報を予約メモリ９に記憶させる。
【００１９】
ステップＳ２において録画再生制御部４は、予約メモリ９に記憶された予約番組情報に基づいて、予約された番組の映像信号をチューナ部２を制御して受信し、その映像信号をデータ分析部５を介してデータ記録部６に記録させる。また、データ分析部５は、予約録画時に録画再生制御部４からデータ記録部６に与えられる映像信号を分析し、録画した番組の映像中にニュース速報の文字などの映像が入った場合は、その旨を示す信号を予約管理部３の予約部８に与える。
【００２０】
ステップＳ３において予約部８は、データ分析部５からの信号に基づいて、番組の録画中にニュース速報があったか否かを判別し、ニュース速報があった場合はステップＳ５に進み、ニュース速報がなかった場合はステップＳ４において予約録画処理を終了する。
【００２１】
ステップＳ５において予約部８は、ＥＰＧ格納部７に格納された電子番組ガイドに基づいて、その番組の再放送があるか否かを検索し、再放送がない場合はステップＳ４に戻って予約録画処理を終了する。再放送番組があった場合はステップＳ６において、その再放送番組の名称、チャンネル番号、開始時刻、終了時刻、出演者、番組ジャンルなどの属性情報を含む予約番組情報を予約メモリ９に記憶させ、ステップＳ２に戻る。
【００２２】
この実施の形態では、録画した放送番組の映像中にニュース速報の映像があるか否かを判別し、ニュース速報の映像がある場合は、その放送番組の再放送があるか否かを検索し、再放送がある場合は再放送番組を録画する。したがって、ニュース速報の文字がない映像を録画することができる。
【００２３】
なお、この実施の形態では、電子番組ガイドに基づいて再放送が存在するかどうかを検索したが、電子番組ガイドに依らず、ユーザによって予め入力された再放送の予約番組情報に基づいて、再放送があるか否かを検索してもよい。また、電子番組ガイドと、ユーザによって予め入力された再放送の予約番組情報との両方に基づいて、再放送があるか否かを検索してもよい。
【００２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２５】
【図１】この発明の一実施の形態による予約録画装置の構成を示すブロック図である。
【図２】図１に示した予約管理部３の構成を示すブロック図である。
【図３】図１および図２に示した予約録画装置の予約録画動作を示すフローチャートである。
【符号の説明】
【００２６】
１  予約録画装置、２  チューナ部、３  予約管理部、４  録画再生制御部、５  データ分析部、６  データ記録部、７  ＥＰＧ格納部、８  予約部、９  予約メモリ。  
【図１】
2007043294.tif 000003
【図２】
2007043294.tif 000004
【図３】
2007043294.tif 000005